(57)【要約】【課題】カメラボディの形状やカメラボディへのアクセサリーの装着に関わらず使用可能な補助光学系の回転防止装置を提供する。【解決手段】カメラ１００のレンズ鏡筒１０２の対物側に装着される補助光学系２００に固定される補助光学系側固定部３０１と、カメラ３００又はこれに装着される補器１５０に固定されるカメラ側固定部３０２と、補助光学系側固定部３０１とカメラ側固定部３０２との間にわたして設けられ、補助光学系側固定部３０１に対して、カメラ側固定部３０２を、レンズ鏡筒１０２の光軸からの距離が変化する方向に移動可能としかつレンズ鏡筒１０２の周方向の回転を拘束する連結部３０４とを備える補助光学系の回転防止装置３００とする。【選択図】図１
2006003402.tif 000002
【特許請求の範囲】
【請求項１】
カメラのレンズ鏡筒の対物側に装着される補助光学系に固定される補助光学系側固定部と、
前記カメラ又はこのカメラに装着される補器に固定されるカメラ側固定部と、
前記補助光学系側固定部と前記カメラ側固定部との間にわたして設けられ、前記補助光学系側固定部に対して、前記カメラ側固定部を、前記レンズ鏡筒の光軸からの距離が変化する方向に移動可能としかつ前記レンズ鏡筒の周方向の回転を拘束する連結部と
を備える補助光学系の回転防止装置。
【請求項２】
請求項１に記載の補助光学系の回転防止装置において、
前記連結部は、前記補助光学系側固定部に対して、前記カメラ側固定部を前記レンズ鏡筒の光軸からの距離が変化する方向に平行移動可能に支持する平行移動機構部を備えること
を特徴とする補助光学系の回転防止装置。
【請求項３】
請求項１又は請求項２に記載の補助光学系の回転防止装置において、
前記連結部は、前記レンズ鏡筒の径方向と略直交する方向の軸周りに回転する可動ジョイント部を少なくとも２つ備えること
を特徴とする補助光学系の回転防止装置。
【請求項４】
請求項１から請求項３までのいずれか１項に記載の補助光学系の回転防止装置において、
前記補助光学系側固定部は、前記補助光学系との固定箇所が前記補助光学系に対しその光軸方向に調整可能であること
を特徴とする補助光学系の回転防止装置。
【請求項５】
請求項１から請求項３までのいずれか１項に記載の補助光学系の回転防止装置において、
前記連結部は、前記補助光学系側固定部と前記カメラ側固定部との距離を調整可能な調整部を備えていること
を特徴とする補助光学系の回転防止装置。
【請求項６】
請求項１から請求項４までのいずれか１項に記載の補助光学系の回転防止装置において、
前記カメラ側固定部は、前記カメラ又は前記カメラに装着される補器に備えられた三脚取付部と結合されること
を特徴とする補助光学系の回転防止装置。
【請求項７】
請求項６に記載の補助光学系の回転防止装置において、
前記カメラ側固定部は、少なくとも２以上の位置において前記カメラ又は前記カメラに装着される補器に固定可能であること
を特徴とする補助光学系の回転防止装置。
【発明の詳細な説明】
【技術分野】
【０００１】
本発明は、カメラの撮影用レンズ鏡筒の先端部に装着される補助光学系の回転を防止する回転防止装置に関するものである。
【背景技術】
【０００２】
カメラの撮影用レンズ鏡筒の先端部には、必要に応じてコンバータレンズ等の補助光学系が着脱可能に装着される。このようなコンバータレンズには、撮影用レンズ鏡筒内のレンズ群と協働し、その合成焦点距離を長くして望遠撮影を可能にするテレコンバータレンズ、合成焦点距離を短くして広角撮影を可能にするワイドコンバータレンズ、最短被写体距離を短くして接写を可能にするクローズアップレンズ等がある。
【０００３】
上述したコンバータレンズ等の補助光学系は、そのレンズ鏡筒側の端部にネジ部を備え、レンズ鏡筒の先端部外周縁に形成されたネジ部にネジ結合してレンズ鏡筒に装着することが一般的である。しかし、この場合、補助光学系は、レンズ鏡筒の光軸周りの回転が拘束されていないから、ユーザの意に反してカメラボディに対して回転してしまう場合がある。
【０００４】
ところで、カメラボディと補助光学系の形状や重量によっては、ユーザが手持ち撮影をする時に、補助光学系を把持してカメラボディを保持する場合がある。また、ある程度重量のある補助光学系の場合には、補助光学系に三脚座を設けて、これに三脚を固定する場合がある。
このような場合には、カメラボディがそのレンズ鏡筒の光軸回りの回転を拘束されていないから、不安定な状態となり、カメラボディがその自重によって回転してしまう場合がある。
【０００５】
従来、カメラのレンズ鏡筒にコンバータレンズを装着したときに、レンズ鏡筒の負担を軽減する目的で、コンバータレンズとカメラボディ下部の三脚取付部とにわたして、コンバータレンズ保持装置を設けることが提案されている。（例えば、特許文献１から特許文献３を参照。）
このようなコンバータレンズ保持装置を用いれば、コンバータレンズの回転も防止することができる。
【０００６】
しかし、上述した従来技術は、いずれもコンバータレンズ保持装置のカメラボディ側への取付部の位置が、レンズ鏡筒の光軸に対して一定であるから、形状の異なるカメラボディに対する汎用性が乏しかった。また、同じカメラボディであっても、カメラボディの三脚取付部に外付けのバッテリーパック等の補器を装着した場合には、コンバータレンズ保持装置を装着できなかった。
【特許文献１】特開平６−１６０９５７号公報
【特許文献２】特開平７−２８１２６８号公報
【特許文献３】特開２００１−２９６６０１号公報
【発明の開示】
【発明が解決しようとする課題】
【０００７】
本発明の課題は、カメラボディの形状や、カメラボディへのアクセサリーの装着に関わらず使用可能な補助光学系の回転防止装置を提供することである。
【課題を解決するための手段】
【０００８】
本発明は、以下のような解決手段により、前記課題を解決する。なお、理解を容易にするために、本発明の実施例に対応する符号を付して説明するが、これに限定されるものではない。
【０００９】
請求項１の発明は、カメラ（１００）のレンズ鏡筒（１０２）の対物側に装着される補助光学系（２００）に固定される補助光学系側固定部（３０１）と、前記カメラ（１００）又はこのカメラ（１００）に装着される補器（１５０）に固定されるカメラ側固定部（３０２）と、前記補助光学系側固定部（３０１）と前記カメラ側固定部（３０２）との間にわたして設けられ、前記補助光学系側固定部（３０１）に対して、前記カメラ側固定部（３０２）を、前記レンズ鏡筒（１０２）の光軸からの距離が変化する方向に移動可能としかつ前記レンズ鏡筒の周方向の回転を拘束する連結部（３０４）とを備える補助光学系の回転防止装置（３００）である。
【００１０】
請求項２の発明は、請求項１に記載の補助光学系の回転防止装置（３００）において、前記連結部（３０４）は、前記補助光学系側固定部（３０１）に対して、前記カメラ側固定部（３０２）を前記レンズ鏡筒（１０２）の光軸からの距離が変化する方向に平行移動可能に支持する平行移動機構部を備えることを特徴とする補助光学系の回転防止装置（３００）である。
【００１１】
請求項３の発明は、請求項１又は請求項２に記載の補助光学系の回転防止装置（３００）において、前記連結部（３０４）は、前記レンズ鏡筒（１０２）の径方向と略直交する方向の軸周りに回転する可動ジョイント部を少なくとも２つ備えることを特徴とする補助光学系の回転防止装置（３００）である。
【００１２】
請求項４の発明は、請求項１から請求項３までのいずれか１項に記載の補助光学系の回転防止装置（３００）において、前記補助光学系側固定部（３０１）は、前記補助光学系（２００）との固定箇所が前記補助光学系（２００）に対しその光軸方向に調整可能であることを特徴とする補助光学系の回転防止装置（３００）である。
【００１３】
請求項５の発明は、請求項１から請求項３までのいずれか１項に記載の補助光学系の回転防止装置（３００）において、前記連結部（３０４）は、前記補助光学系側固定部（３０１）と前記カメラ側固定部（３０２）との距離を調整可能な調整部を備えていることを特徴とする補助光学系の回転防止装置である。
【００１４】
請求項６の発明は、請求項１から請求項５までのいずれか１項に記載の補助光学系の回転防止装置（３００）において、前記カメラ側固定部（３０２）は、前記カメラ（１００）又は前記カメラに装着される補器（１５０）に備えられた三脚取付部（１０４，１５２）と結合されることを特徴とする補助光学系の回転防止装置（３００）である。
【００１５】
請求項７の発明は、請求項６に記載の補助光学系の回転防止装置（３００）において、前記カメラ側固定部（３０２）は、少なくとも２以上の位置において前記カメラ（１００）又は前記カメラに装着される補器（１５０）に固定可能であることを特徴とする補助光学系の回転防止装置（３００）である。
【発明の効果】
【００１６】
本発明によれば、補助光学系側固定部に対して、カメラ側固定部が、レンズ鏡筒の光軸からの距離が変化する方向に可動するから、カメラの形状の違いや、カメラへの補器の装着有無に関わらず回転防止装置を取り付けることができる。
【発明を実施するための最良の形態】
【００１７】
本発明は、コンバータレンズに固定されたコンバータ固定リングに対して、カメラ等の三脚取付用ネジ部に固定されるカメラ側固定板を、レンズ鏡筒の光軸からの距離が変化する方向に移動可能としかつレンズ鏡筒の周方向の回転を拘束する連結部を備える回転防止装置によって上述した課題を解決する。
【実施例１】
【００１８】
以下、図面等を参照して、本発明の実施例をあげて、さらに詳しく説明する。
図１は、本発明を適用した補助光学系の回転防止装置の実施例１における使用時の状態を示す側面視図である。図２は、図１のII−II部矢視断面図である。図３は、図１のIII−III部矢視図である。
【００１９】
カメラ本体１００は、そのレンズ鏡筒の先端部にテレコンバータレンズ２００が装着されている。また、カメラ本体１００の下部には、バッテリーパック１５０が装着されている。そして、回転防止装置３００は、テレコンバータレンズ２００の外周面と、バッテリーパック１５０の下部とにわたして設けられている。以下、詳しく説明する。
【００２０】
カメラ本体１００は、例えば、レンズがボディに固定された一体式のデジタルスチルカメラであり、ボディ１０１と、撮影用のレンズ鏡筒１０２と、コンバータ固定用ネジ部１０３と、三脚固定用ネジ部１０４とを備えている。
レンズ鏡筒１０２は、ボディ１０１の対物側に設けられている。
コンバータ固定用ネジ部１０３は、レンズ鏡筒１０２の先端部に設けられ、その外周部にレンズ鏡筒１０２の光軸と同心に形成されている。
三脚固定用ネジ部１０４は、カメラ本体１００によって正位置撮影をするときのボディ１０１の下面に開口し、略垂直に形成された雌ネジ部であり、図示しない三脚等又は後述するバッテリーパック１５０が装着される。
【００２１】
バッテリーパック１５０は、カメラ本体１００の三脚固定用ネジ部１０４にネジ結合されるカメラ本体固定用ビス１５１を備え、カメラ本体１００の補助電源用の電池を収容する。
また、バッテリーパック１５０のカメラ本体１００と反対側の面には、図示しない三脚等が装着される三脚固定用ネジ部１５２が形成されている。
【００２２】
テレコンバータレンズ２００は、鏡筒２０１と、固定用ネジ部２０２とを有する。
鏡筒２０１は、その内部に図示しないコンバータレンズ群を収容する。鏡筒２０１は、その対物側がテーパ状に広がった円錐台状に形成され、このテーパ状の部分よりもカメラ本体１００側では、略一定の外径を有する筒状に形成されている。
固定用ネジ部２０２は、鏡筒２０１のカメラ本体１００側の端部に形成され、上述したカメラ本体１００のコンバータ固定用ネジ部１０３とネジ結合される。
【００２３】
回転防止装置３００は、コンバータ固定リング３０１と、カメラ側固定板３０２と、カメラ側固定板３０２をカメラ本体１００又はバッテリーパック１５０に固定する固定ビス３０３と、連結部３０４とを備えている。
【００２４】
コンバータ固定リング３０１は、テレコンバータレンズ２００の鏡筒２０１の外周面に沿って形成されている。
図２に示すように、コンバータ固定リング３０１はその周方向に２分割され、カメラ本体１００を正位置で使用する際に上側となる弧状部材３０１ａと、下側となる弧状部材３０１ｂとを備えている。
弧状部材３０１ａと弧状部材３０１ｂとは、それらの一端側がテレコンバータレンズ２００の光軸方向に配置された軸３０５回りに回転可能に接続されている。一方、弧状部材３０１ａ及び弧状部材３０１ｂの軸３０５とは反対側の端部には、それぞれ外径側に突き出して形成されたフランジ部３０６が形成され、これらのフランジ部３０６相互間を結合し、その距離を調整する調整ネジ３０７が設けられている。コンバータ固定リング３０１は、この調整ネジ３０７を緩めることによって、テレコンバータレンズ２００に対して、その筒軸方向に移動可能となっている。また、コンバータ固定リング３０１は、調整ネジ３０７を取り外すことによって、弧状部材３０１ａ、３０１ｂを軸３０５回りに回転させて開き、テレコンバータレンズ２００から取り外すことができる。
【００２５】
また、弧状部材３０１ｂは、図２に示すように、カメラ本体１００の正位置使用時における下部に、外径側に張り出した三脚座３０８が設けられ、その突端部には、三脚固定用ネジ部３０９が設けられている。
弧状部材３０１ａ及び弧状部材３０１ｂの内径側には、テレコンバータレンズ２００の鏡筒２０１の外周面と対向して配置され、ゴム等の弾性部材によって形成されたクッション材３１０が設けられている。クッション材３１０は、調整ネジ３０７を締め付けるとテレコンバータレンズ２００の鏡筒２０１の表面とコンバータ固定リング３０１の内周面との間で押圧されて圧縮される。
【００２６】
カメラ側固定板３０２は、カメラ本体１００又はバッテリーパック１５０の下面に沿って配置される板状の部材であり、カメラ本体１００の正位置使用時に略水平となるように配置されるものである。
また、カメラ側固定板３０２は、図３に示すように、開口３１１が設けられている。この開口３１１は、三脚固定用ネジ部１０４の位置が異なるカメラ本体１００等への装着を可能にするため、レンズ鏡筒１０２の光軸と垂直な方向に横長の長孔に形成されている。
【００２７】
固定ビス３０３は、雄ネジを備え、開口３１１に挿入されかつカメラ本体１００の三脚固定用ネジ部１０４又はバッテリーパック１５０の三脚固定用ネジ部１５２にネジ結合されることによって、カメラ側固定板３０２を、カメラ本体１００又はバッテリーパック１５０に着脱可能に固定するものである。
【００２８】
連結部３０４は、矩形の平板状であって、その長手方向を三脚座３０８のカメラ本体１００側の端部と、カメラ側固定板３０２の対物側の端部とにわたして、これらを連結している。連結部３０４の両端部は、カメラ本体１００を正位置で使用する際の横方向に延在する軸３１２がそれぞれ設けられ、コンバータ固定リング３０１及びカメラ側固定板３０２に対して、対応する軸３１２回りにヒンジ状に回転可能に軸支されている。
また、連結部３０４は、コンバータ固定リング３０１とカメラ側固定板３０２とが、レンズ鏡筒１０２の光軸周りに回転しないように拘束している。
【００２９】
図４は、上述した回転防止装置３００を、バッテリーパック１５０を装着しない状態でカメラ本体１００及びテレコンバータレンズ２００に装着した状態を示す図である。
この場合には、回転防止装置３００のカメラ側固定板３０２は、固定ビス３０３によって、カメラ本体１００の三脚固定用ネジ部１０４に固定される。このとき、カメラ本体１００の三脚固定用ネジ部１０４とバッテリーパック１５０の三脚固定用ネジ部１５２とのレンズ鏡筒１０２の光軸からの距離の違いは、連結部３０４がその両端部に設けられた軸３１２回りに回転し、コンバータ固定リング３０１とカメラ側固定板３０２とを平行移動させることによって吸収される。また、この動作によってコンバータ固定リング３０１とカメラ側固定板３０２とのレンズ鏡筒１０２の光軸方向における距離が変化するが、この変化量は、コンバータ固定リング３０１が、テレコンバータレンズ２００の鏡筒２０１に対してその筒軸方向に変位することによって吸収される
【００３０】
以上のように、実施例１によれば、連結部３０４がその両端部の軸３１２回りに回転することによって、コンバータ固定リング３０１に対して、カメラ側固定板３０２がレンズ鏡筒１０２の光軸からの距離が変化する方向に平行移動するから、カメラ本体１００へのバッテリーパック１５０の装着の有無に関わらず、回転防止装置３００を装着し、テレコンバータレンズ２００がカメラ本体１００に対して回転することを防止できる。
また、カメラ側固定板３０２の開口３１１を長孔としているから、カメラ本体１００又はバッテリーパック１５０の形状等が異なり、三脚固定用ネジ部１０４、１５２の位置が横方向にずれている場合であっても、回転防止装置３００を装着することができ、汎用性が向上する。
【実施例２】
【００３１】
図５は、本発明を適用した補助光学系の回転防止装置の実施例２における使用時の状態を示す側面視図である。
なお、以下説明する各実施例において、上述した実施例１と同様の部分については同じ符号を付して説明を省略し、主に相違点について説明する。
【００３２】
実施例２の回転防止装置３００’は、連結部３０４’がその長手方向に伸縮する伸縮部３１３を備えている。そして、コンバータ固定リング３０１に対して、カメラ側固定板３０２のレンズ鏡筒１０２の光軸からの距離を変えるために連結部３０４’を回転させたときに、伸縮部３１３の長さを調節することによって、コンバータ固定リング３０１がテレコンバータレンズ２００に対してその光軸方向に移動しなくてもよいようになっている。
以上のように、実施例２によれば、上述した実施例１による効果に加えて、さらに、テレコンバータレンズ２００に対して、コンバータ固定リング３０１がその光軸方向に移動可能とする必要がないから、テレコンバータレンズ２００及び回転防止装置３００の設計の自由度を高めることができる。
【実施例３】
【００３３】
図６は、本発明を適用した補助光学系の回転防止装置の実施例３における使用時の状態を示す側面視図である。
実施例３の回転防止装置３００”は、上述した実施例１、２の連結部３０４，３０４’に代えて、コンバータ固定リング３０１に対してカメラ側固定板３０２をレンズ鏡筒１０２の径方向及び光軸方向にそれぞれ平行移動させるスライド機構部３１４，３１５を備えている。
【００３４】
スライド機構部３１４は、三脚座３０８と連結部３０４”との間に設けられ、三脚座３０８に対して、連結部３０４”を、レンズ鏡筒１０２の径方向に平行移動可能に支持するものである。
スライド機構部３１５は、カメラ側固定板３０２と連結部３０４”との間に設けられ、連結部３０４”に対して、カメラ側固定板３０２を、レンズ鏡筒１０２の光軸方向に平行移動可能に支持するものである。
以上のように、実施例３においても、上述した実施例２と同様の効果を奏するとともに、また、コンバータ固定リング３０１とカメラ側固定板３０２との回転方向における拘束力を高めることができる。
【００３５】
（変形例）
なお、本発明は、上述した実施例によって限定されるものではなく、種々の変形や変更が可能であって、それらも本発明の均等の範囲内である。
（１）上述した各実施例では、補助光学系としてテレコンバータレンズを例にとり説明したが、例えば、ワイドコンバータレンズ、クローズアップレンズ等、他の補助光学系であってもよい。また、カメラも一体型のデジタルカメラには限定されず、レンズ交換式のデジタルカメラや、フィルムカメラであってもよい。
（２）上述した各実施例では、カメラ本体に装着される補器として、バッテリーパックを例にとり説明したが、これ以外のものでもよい。補器は、例えば、外付け式のメモリスロット、ハードディスクドライブ、光学ディスクドライブ等であってもよい。
（３）補助光学系側固定部とカメラ側固定部とを相互に変位可能に連結する連結部の構成は、上述した各実施例のものに限定されない。
例えば、実施例１では、連結部３０４は、その両端部に２本の軸３１２を設けて屈曲可能としているが、連結部を２以上に分割し、その接合部に屈曲部を設けてもよい。これによれば、連結部の長さが調整可能となるので、補助光学系側固定部を補助光学系の光軸方向に移動可能とする必要がなく便利である。
また、連結部を、補助光学系側固定部又はカメラ側固定部に取り付ける固定箇所を複数設けて、この取り付け箇所を選択することによってこれらが相互に変位するようにしてもよい。
（４）上述した各実施例では、コンバータ固定リング３０１はテレコンバータ２００の鏡筒２０１に対して別体とし、着脱可能としているが、補助光学系側固定部は、補助光学系に対して固定されていてもよい。また、補助光学系側固定部を補助光学系の一部と一体に形成してもよい。
（５）上述した各実施例では、開口３１１を長孔としているが、装着が予定されるカメラ本体又はバッテリーパック等の補器の機種に応じて、複数の開口を設け、適当な開口を選択して使用するようにしてもよい。
【図面の簡単な説明】
【００３６】
【図１】本発明を適用した補助光学系の回転防止装置の実施例１における使用時の状態を示す側面視図である。
【図２】図１のII−II部矢視断面図である。
【図３】図１のIII−III部矢視図である。
【図４】図１の回転防止装置における使用時の他の状態を示す側面視図である。
【図５】本発明を適用した補助光学系の回転防止装置の実施例２における使用時の状態を示す側面視図である。
【図６】本発明を適用した補助光学系の回転防止装置の実施例３における使用時の状態を示す側面視図である。
【符号の説明】
【００３７】
１００    カメラ本体
１０１    ボディ
１０２    レンズ鏡筒
１０３    コンバータ固定用ネジ部
１０４    三脚固定用ネジ部
１５０    バッテリーパック
１５１    カメラ本体固定用ビス
１５２    三脚固定用ネジ部
２００    テレコンバータレンズ
２０１    鏡筒
３００    回転防止装置
３０１    コンバータ固定リング
３０２    カメラ側固定板
３０３    固定ビス
３０４    連結部
３０５    軸
３０６    フランジ部
３０７    調整ネジ
３０８    三脚座
３０９    三脚固定用ネジ部
３１０    クッション材
３１１    開口
３１２    軸
【図１】
2006003402.tif 000003
【図２】
2006003402.tif 000004
【図３】
2006003402.tif 000005
【図４】
2006003402.tif 000006
【図５】
2006003402.tif 000007
【図６】
2006003402.tif 000008